(57)【要約】      （修正有）【課題】口腔内の洗浄効果及び口腔内の抗菌効果に優れる歯ブラシ用毛を提供する。【解決手段】歯ブラシ用毛１は、熱可塑性樹脂から構成されてなり、ミスワク粉末またはニーム粉末１１を含有する。ミスワク粉末またはニーム粉末は、熱可塑性樹脂１００重量部に対し、０．０１重量部以上５重量部以下であり、さらに、シリカ粉末１２を含有するのが好ましい。【選択図】図１
0003211072.tif 000002
【実用新案登録請求の範囲】
【請求項１】
熱可塑性樹脂から構成されてなり、
ミスワク粉末またはニーム粉末を含有する、歯ブラシ用毛。
【請求項２】
前記ミスワク粉末またはニーム粉末が、前記熱可塑性樹脂１００重量部に対し、０．０１重量部以上５重量部以下である、請求項１に記載の歯ブラシ用毛。
【請求項３】
さらに、シリカ粉末を含有する、請求項１または２に記載の歯ブラシ用毛。
【請求項４】
植毛部と柄部とを備えた歯ブラシであって、
前記植毛部に毛束が固定されており、
前記毛束が、請求項１〜３のいずれか１項に記載の歯ブラシ用毛を複数束ねたものである、歯ブラシ。
【考案の詳細な説明】
【技術分野】
【０００１】
本考案は、歯ブラシ用毛及び歯ブラシに関するものである。
【背景技術】
【０００２】
歯ブラシに求められる基本的な機能としては、口腔内における洗浄機能やマッサージ機能等が挙げられる。また、歯ブラシには、これらの基本的な機能をさらに高めることや付加価値を備えることも求められている。特許文献１には、ブラシ毛素材内に茶類、果実類、香り植物類、木材類等のパウダーを混入させることにより、ブラシでワークを研磨する際の摩擦熱で、前記混入物から香りを出すブラシ毛素材およびブラシが開示されている。一方、中東等では古くからミスワクやニーム等の植物の小枝が歯ブラシとして使用されており、これらの植物には、殺菌作用があり虫歯予防等の効果があることが知られている。
【先行技術文献】
【特許文献】
【０００３】
【特許文献１】特開２００８−０１２１２７号公報
【考案の概要】
【考案が解決しようとする課題】
【０００４】
本考案は、口腔内の洗浄効果及び口腔内の抗菌効果に優れる歯ブラシ用毛を提供することを目的とする。
【課題を解決するための手段】
【０００５】
本考案の第一は、熱可塑性樹脂から構成されてなり、ミスワク粉末またはニーム粉末を含有する、歯ブラシ用毛に関する。
【０００６】
前記歯ブラシ用毛は、前記ミスワク粉末またはニーム粉末が、前記熱可塑性樹脂１００重量部に対し、０．０１重量部以上５重量部以下であることが好ましい。
【０００７】
前記歯ブラシ用毛は、さらに、シリカ粉末を含有することが好ましい。
【０００８】
本考案の第二は、植毛部と柄部とを備えた歯ブラシであって、前記植毛部に毛束が固定されており、前記毛束が、前記歯ブラシ用毛を複数束ねたものである、歯ブラシに関する。
【考案の効果】
【０００９】
本考案によれば、口腔内の洗浄効果及び口腔内の抗菌効果に優れる歯ブラシ用毛を提供することができる。
【図面の簡単な説明】
【００１０】
【図１】歯ブラシ用毛の先端形状の一例を示す平面図である。
【図２】歯ブラシの一例を示す側面図である。
【考案を実施するための形態】
【００１１】
［歯ブラシ用毛］
本考案は、熱可塑性樹脂から構成されてなり、ミスワク粉末またはニーム粉末を含有する、歯ブラシ用毛に関する。以下、本考案に係る歯ブラシ用毛を図面を参照して詳細に説明する。
【００１２】
図１及び図２は、本考案の実施形態を説明するためのものである。図１及び図２において、１は歯ブラシ用毛である。図１（ａ）は、先端が線形テーパ状の歯ブラシ用毛１、及び図１（ｂ）は、全体に渡り一定の線径を有する歯ブラシ用毛１、をそれぞれ示す平面図である。
【００１３】
歯ブラシ用毛１は、熱可塑性樹脂から構成されてなる。熱可塑性樹脂としては、毛状に成形可能なものであれば特に限定されないが、例えば、ナイロン；ポリブチレンテレフタレート等の飽和ポリエステル樹脂；及びポリプロピレン等が挙げられる。
【００１４】
歯ブラシ用毛１は、ミスワク粉末１１ａまたはニーム粉末１１ｂを含有する。ミスワク粉末１１ａは、ミスワク（学名：Ｓａｌｖａｄｏｒａ  Ｐｅｒｓｉｃａ）の枝または葉等を粉末状にしたものである。例えば、具体的には、枝または葉等を、洗浄した後、水抽出法にて液体成分を抽出し、加熱して濃縮し、ろ過し、乾燥し、粉砕し、さらに篩い分けする工程を経ることにより粉末状にすることができる。ニーム粉末１１ｂは、ニーム（学名：Ａｚａｄｉｒａｃｈｔａ  ｉｎｄｉｃａ）の枝または葉等を粉末状にしたものである。例えば、ミスワク粉末１１ａを粉末状にする上記工程と同様の工程を経ることにより粉末状にすることができる。ミスワク粉末１１ａまたはニーム粉末１１ｂを含有した歯ブラシ用毛１を固定した歯ブラシで口腔内を磨くことにより、口腔内の洗浄及び抗菌を行うことができる。なお、図１中、１１はミスワク粉末１１ａまたはニーム粉末１１ｂを示す。
【００１５】
ミスワク粉末１１ａまたはニーム粉末１１ｂの粒径は、歯ブラシ用毛１に含有することができれば、特に限定されるものではないが、１μｍ以上１５０μｍ以下であることが好ましく、５μｍ以上１００μｍ以下であることがより好ましく、５μｍ以上１３μｍ以下であることが更に好ましい。粒径が小さすぎると歯ブラシ用毛１の製造時におけるミスワク粉末１１ａまたはニーム粉末１１ｂの取扱いが困難になりやすい。また、粒径が大きすぎると、歯ブラシ用毛１の線径にもよるが、歯ブラシ用毛１の製造時、特に延伸を行う際に糸切れを起す等して、製造ができなくなる場合がある。
【００１６】
ミスワク粉末１１ａ及びニーム粉末１１ｂの粒径は、ＪＩＳ  Ｚ８８２５：２０１３に準じて測定することができる。
【００１７】
歯ブラシ用毛１における、ミスワク粉末１１ａまたはニーム粉末１１ｂの含有量としては、熱可塑性樹脂１００重量部に対し、０．０１重量部以上５重量部以下であることが好ましく、０．０５重量部以上１重量部以下であることがより好ましい。含有量が少なすぎると、口腔内の洗浄及び抗菌効果が得られない場合があり、含有量が多すぎると、歯ブラシ用毛１の製造時、特に延伸を行う際に糸切れを起す等して、成形できなくなる場合がある。
【００１８】
歯ブラシ用毛１は、ミスワク粉末１１ａまたはニーム粉末１１ｂの他にシリカ粉末１２も含有していることが好ましい。これにより、歯ブラシ用毛１の研磨能力が向上し、口腔内の洗浄効果がより向上すると共に、口腔内を抗菌することもできる。なお、これらの効果は、歯磨剤を使用することなく実現することができる。
【００１９】
シリカ粉末１２は、酸化ケイ素（シリカ、ＳｉＯ２）を主成分とする無機化合物の粉末であれば特に限定されるものではないが、石英片岩の粉末が好ましい。石英片岩は、石英を主な構成鉱物とする結晶片岩である。なお、石英片岩を構成する石英以外の鉱物としては、例えば、酸化アルミニウム（Ａｌ２Ｏ３）、酸化カリウム（Ｋ２Ｏ）、酸化ナトリウム（Ｎａ２Ｏ）、酸化鉄（Ｆｅ２Ｏ３）、及び酸化カルシウム（ＣａＯ）等が挙げられる。
【００２０】
シリカ粉末１２の粒径は、歯ブラシ用毛１に含有することができれば、特に限定されるものではないが、１μｍ以上１５０μｍ以下であることが好ましく、５μｍ以上１００μｍ以下であることがより好ましく、５μｍ以上１３μｍ以下であることが更に好ましい。粒径が小さすぎると歯ブラシ用毛１の製造時におけるシリカ粉末１２の取扱いが困難になりやすい。また、粒径が大きすぎると、歯ブラシ用毛１の線径にもよるが、歯ブラシ用毛１に含有した際に、歯ブラシ用毛１の製造時、特に延伸を行う際に糸切れを起す等して、製造ができなくなる場合がある。
【００２１】
シリカ粉末１２の粒径は、ＪＩＳ  Ｚ８８２５：２０１３に準じて測定することができる。
【００２２】
歯ブラシ用毛１の線径は、熱可塑性樹脂の種類や、使用者の好み等に応じて適宜変更することができるが、例えば、直径で約０．０２ｍｍ以上０．３ｍｍ以下である。
【００２３】
歯ブラシ用毛１における、シリカ粉末１２の含有量としては、熱可塑性樹脂１００重量部に対し、０．０１重量部以上５重量部以下であることが好ましく、０．０５重量部以上１重量部以下であることがより好ましい。含有量が少なすぎると、シリカ粉末１２による研磨能力が発揮されず、口腔内の洗浄効果が向上せず、口腔内の抗菌効果も得られない場合があり、含有量が多すぎると、歯ブラシ用毛１の製造時、特に延伸を行う際に糸切れを起す等して、成形できなくなる場合がある。
【００２４】
歯ブラシ用毛１の製造方法としては、例えば、以下の方法が挙げられる。まず、ペレット形状の熱可塑性樹脂にミスワク粉末またはニーム粉末、必要に応じてシリカ粉末を投入し、加熱溶融しながら押出機のノズルから糸状に押出し、さらに加熱しながら延伸する。延伸は、所望の線径になるまで繰り返し行う。続いて、巻き取り機で巻き取り、束ねて毛束とする。得られた毛束は、一定の長さにカットする。さらにその後、カットした毛束を、加熱及び加圧すること、また薬品につけて溶解すること等の公知の方法を用いて、所望の先端形状に加工することができる。先端をテーパ状にする場合には、例えば、水酸化ナトリウム水溶液に毛束を含浸させ、水で洗浄した後、乾燥することが挙げられる。
【００２５】
［歯ブラシ］
本考案は、植毛部と柄部とを備えた歯ブラシであって、前記植毛部に毛束が固定されており、前記毛束が、複数の歯ブラシ用毛を束ねたものである、歯ブラシに関する。以下、本考案に係る歯ブラシを図面を参照して詳細に説明する。
【００２６】
図２は、歯ブラシ用毛１が固定された歯ブラシ２を示す側面図である。歯ブラシ２は、図２に示すように、柄部２１と、この柄部２１の先端に植毛部２２を備える。柄部２１は、使用者が把持する部分であり、植毛部２２には、複数の歯ブラシ用毛１を束ねた毛束２３が固定されている。
【００２７】
柄部２１及び植毛部２２を構成する材料は、特に限定されるものではないが、例えば、ＡＳ（アクリロニトリル・スチレン）、ポリプロピレン、ポリエチレン、ポリエチレンテレフタレート、ポリシクロヘキシレンジメチレンテレフタレート、飽和ポリエステル樹脂、ポリメタクリル酸メチル、プロピオン酸セルロース、ポリウレタン、ポリアミド、及びＡＢＳ（アクロル二トリル・ブタジエン・スチレン）などの合成樹脂材料；並びに竹や木等の天然材料を挙げることができる。
【００２８】
毛束２３は、複数本の歯ブラシ用毛１を束ねて二つ折りにし、その間に平線と呼ばれる銅合金等の金属性の抜止め具を挟んで植毛部２２の一面、植毛面２２ａに設けられた植毛穴に打ち込むことによって固定される。また、毛束２３は、複数本の歯ブラシ用毛１を束ねて二つ折りにし、植毛面２２ａに設けられた植毛穴に打ち込むと共に、熱融着することによって固定してもよい。
【００２９】
歯ブラシ２は、口腔内の洗浄効果及び口腔内の抗菌効果に優れる。
【符号の説明】
【００３０】
１  歯ブラシ用毛
２  歯ブラシ
１１  ミスワク粉末またはニーム粉末
１２  シリカ粉末
２１  柄部
２２  植毛部
２２ａ  植毛面
２３  毛束
【図１】
0003211072.tif 000003
【図２】
0003211072.tif 000004